(57)【要約】【課題】フーリエ変換赤外分光光度計を用いてＡＴＲ法に基づく測定を行う際、測定後のプリズムプレートから粉体試料等を落下させることなく、簡単な操作で確実に清浄化することのできる装置を提供する。【解決手段】プリズムプレート１３の表面に密着させるカバー１と、カバー１内に送風するための送風手段５およびチューブ４と、一端がカバー１に連通し、他端が試料回収手段に連通する筒体２を備え、プリズムプレート１３上の試料載置部位をカバー１で覆い、その状態で内部に送風することで試料Ｗをカバー１内で舞い上がらせて、筒体２を介して回収手段３において試料Ｗを分離回収する。【選択図】図１
2016070784.tif 000002
【特許請求の範囲】
【請求項１】
フーリエ変換赤外分光光度計に、プリズムをその周囲において支持板で支持してなるプリズムプレートを含むＡＴＲ測定装置を装着し、上記プリズムの表面に試料を密着させてＡＴＲ法に基づく測定を行った後に、上記プリズムプレートを清浄化する装置であって、
上記プリズムプレートの表面に密着することにより上記プリズムの表面を含む領域を所定の空隙を介して覆うカバーと、送風手段と、その送風手段からのエアを上記カバーの内部に送り込むためのチューブと、一端が上記カバーに連通し、他端がエア中に含まれる試料を分離回収する回収手段に連通する筒体を備えていることを特徴とする、フーリエ変換分光光度計におけるＡＴＲ測定装置のプリズムプレート清浄化装置。
【請求項２】
上記回収手段の下流側に吸引手段を備えていることを特徴とする、請求項１に記載のフーリエ変換分光光度計におけるＡＴＲ測定装置のプリズムプレート清浄化装置。
【請求項３】
上記カバーは半球形であり、上記チューブはそのカバーの側面部からエアを送り込むとともに、上記筒体は、上記カバーの頂部近傍に連通していることを特徴とする請求項１又は２に記載のフーリエ変換分光光度計におけるＡＴＲ測定装置のプリズムプレート清浄化装置。
【発明の詳細な説明】
【技術分野】
【０００１】
本発明はフーリエ変換赤外分光光度計（ＦＴＩＲ；Fourier Transform Infrared Spectroscopy）を用いて、ＡＴＲ（Attenuated Total Reflection）法に基づく測定を行った後に、試料が密着配置されるプリズムプレートを清浄化するための装置に関する。
【背景技術】
【０００２】
フーリエ変換赤外分光光度計においては、一般に、赤外光源からの赤外光を干渉計によって干渉光として試料に照射し、その透過光もしくは反射光を検出器で検出し、その検出データをフーリエ変換することによってスペクトルを求めるとともに、そのスペクトルと、試料を介さない状態での検出データをフーリエ変換して求めたスペクトルとの差から、試料による吸収スペクトルを求めて、試料に含まれる成分を分析する（例えば特許文献１参照）。
【０００３】
このようなフーリエ変換赤外分光光度計では、透過測定および反射測定のいずれにおいても様々な測定法が用いられており、これらの各測定法に基づく測定を行う際には、各測定法に応じた付属装置を分光光度計に取り付けた状態で測定を行っている。
【０００４】
これらの各測定法のうち、ＡＴＲ法は、プリズムに試料を密着させた状態で、プリズムを介して試料に測定光を照射し、プリズムから試料に僅かにもぐり込んで反射する全反射光を測定することにより、試料の表層部の吸収スペクトルを求める方法である（例えば特許文献２参照）。このＡＴＲ法は測定が比較的簡便であり、液体、固体、粉体など幅広いサンプルの測定に多用されている。
【０００５】
ＡＴＲ法に対応する測定装置、すなわちＡＴＲ測定装置を装着した状態でのフーリエ変換分光光度計の構成例を、図２に模式的に示す。
【０００６】
赤外光源１０１からの赤外光は、集光鏡１０２、コリメータ鏡１０３、ビームスプリッタ１０４、固定鏡１０５および移動鏡１０６からなるマイケルソン型干渉計を経て干渉光となって、試料室１０７内の試料Ｗへと導かれる。
【０００７】
すなわち、赤外光源１０１から出射された赤外光は、集光鏡１０２およびコリメータ鏡１０３により平行光束に成形された後、ビームスプリッタ１０４に照射され、ここで固定鏡１０５と移動鏡１０６に向かう光路に２分割される。固定鏡１０５および移動鏡１０６でそれぞれ反射された赤外光はビームスプリッタ１０４によって再び合一され、放物線鏡１０８を介して試料室１０７へと向かう。測定中において上記した移動鏡１０６は、図中Ｍで示す矢印に沿って前後動し、これにより、ビームスプリッタ１０４で合一された赤外光は時間的に振幅が変動する干渉光（インターフェログラム）となる。
【０００８】
このインターフェログラムは、放物線鏡１０８によって集光され、試料室１０７内に導入される。試料室１０７内には、ＡＴＲ法に基づく測定を行うべくＡＴＲ測定装置が設けられている。この例におけるＡＴＲ測定装置は、後述するプリズム１１とその支持板１２からなるプリズムプレート１３と、インターフェログラムをプリズム１１の下面側に導くための反射鏡１４，１５、試料Ｗによる反射光を試料室１０７の外部の楕円面鏡１０９に導くための反射鏡１６，１７を主体として構成され、これらの各要素は、フレーム（図示略）に固定されることにより相互に一体化されている。
【０００９】
図３にプリズムプレート１３の拡大図を示す。プリズム（ＡＴＲプリズム）１１は、赤外光を透過させる屈折率の大きい材質からなる平板状の部材であり、このプリズム１１はその周囲において支持板１２により支持され、これらによってプリズムプレート１３を構成している。試料Ｗはプリズム１１の上面に密着して配置される。試料Ｗのプリズム１１への密着を確実なものとするために、プリズムプレート１３の上方には、例えばスリーブ１８とその内側で上下動するロッド１９等からなるクランプ機構２０が設けられ、試料Ｗはスリーブ１８の内側でロッド１９によってプリズム１１に押し付けられる。
【００１０】
インターフェログラムはプリズム１１に下面側から所定の角度で入射し、プリズム１１の上面に密着している試料Ｗに僅かにもぐり込んで全反射する。その反射光は反射鏡１６，１７によって試料室１０７外部に導かれ、楕円面鏡１０９で集光された後に検出器１１０によりその強度が検出され、その検出結果から公知の手法により試料Ｗの吸収スペクトルが求められる。
【００１１】
なお、以上の例では、インターフェログラムが試料に対して１回だけ反射する方式のもの挙げたが、プリズム内で複数回に渡って反射する多重反射方式のものもある。
【００１２】
ここで、このようなＡＴＲ測定装置においては、上記のようにプリズム１１へ直接試料Ｗを密着させた状態で測定を行うため、測定後にプリズム１１を清浄化する必要がある。その清浄化の方法は、従来、紙製ウエスや綿棒に適当な溶剤を浸し、手動で拭う方法が一般に用いられている。
【先行技術文献】
【特許文献】
【００１３】
【特許文献１】国際公開番号ＷＯ２０１０／０６４２７６号
【特許文献２】特開平８−１７０９４１号公報
【発明の概要】
【発明が解決しようとする課題】
【００１４】
ところで、ＡＴＲ測定装置におけるプリズムプレートは、図３に例示したように試料密着面である上面がフラットであるため、紙製ウエスや綿棒で拭って清浄化する際に、特に粉体の試料はプレート上面からこぼれて試料室内に落下し、装置の汚れの原因となっていた。
【００１５】
本発明はこの問題を解決し、ＡＴＲ法に基づく測定を行った後のプリズムプレートを、粉体試料であってもプリズムプレートの上面から落下させることなく、確実に清浄化することのできる清浄化装置の提供をその課題としている。
【課題を解決するための手段】
【００１６】
上記の課題を解決するため、本発明のフーリエ変換分光光度計におけるＡＴＲ測定装置のプリズムプレート清浄化装置は、フーリエ変換赤外分光光度計に、プリズムをその周囲において支持板で支持してなるプリズムプレートを含むＡＴＲ測定装置を装着し、上記プリズムの表面に試料を密着させてＡＴＲ法に基づく測定を行った後に、上記プリズムプレートを清浄化する装置であって、上記プリズムプレートの表面に密着することにより上記プリズムの表面を含む領域を所定の空隙を介して覆うカバーと、送風手段と、その送風手段からのエアを上記カバーの内部に送り込むためのチューブと、一端が上記カバーに連通し、他端がエア中に含まれる試料を分離回収する回収手段に連通する筒体を備えていることによって特徴づけられる（請求項１）。
【００１７】
ここで、本発明においては、上記回収手段の下流側に吸引手段を備えている構成（請求項２）を採用することができる。
【００１８】
また、本発明においては、上記カバーは半球形であり、上記チューブはそのカバーの側面部からエアを送り込むとともに、上記筒体は上記カバーの頂部近傍に連通している構成（請求項３）を好適に採用することができる。
【００１９】
本発明は、プリズムプレートの上面にカバーを密着させ、そのカバー内へ送風することによって試料をカバー内で吹き飛ばし、カバーに連通させた筒体を介して回収手段に送ることで課題を解決しようとするものである。
【００２０】
すなわち、プリズムプレートの上面にカバーを密着させ、そのカバー内部に形成される空隙にチューブを介して送風手段からのエアを送り込むことにより、プリズムプレート上の試料をカバー内で舞い上がらせて、このカバーには筒体の一端を連通させ、筒体の他端は回収手段に連通させておくことにより、試料を回収手段に送って回収することができる。
【００２１】
請求項２に係る発明のように、回収手段の下流側において吸引手段をさらに設けることにより、カバー内のエアの流れを確実なものとし、プリズムプレート上の試料の回収をより確実なものとすることができる。
【００２２】
また、請求項３に係る発明のように、カバーを半球状とし、その側面からエアを送り込むとともに、頂部近傍に筒体を連通させる構造を採用すれば、カバー内のエアの流れがスムーズなものとなり、試料の回収効率を向上させることができる。
【発明の効果】
【００２３】
本発明によれば、フーリエ変換分光光度計を用いてＡＴＲ法に基づく測定を行う際に、試料を密着させるプリズムプレートを測定後に清浄化するに当たり、カバーをプリズムプレートの上面に密着させて内部に送風するという簡単な操作により、プリズムプレート上の試料を落下させることなく確実に回収することが可能となる。
【図面の簡単な説明】
【００２４】
【図１】本発明の実施形態におけるプリズムプレートへのカバーの密着状態を示す模式図。
【図２】フーリエ変換分光光度計によりＡＴＲ法に基づく測定を行う際の装置構成例を示す模式図。
【図３】図２におけるプリズムプレートの拡大図。
【発明を実施するための形態】
【００２５】
以下、図面を参照しつつ本発明の実施の形態について説明する。図１は本発明の実施の形態を示す構成図であって、プリズムプレートにカバーを密着させた状態を示す模式図である。
【００２６】
本発明の実施の形態に係る清浄化装置は、上面が平坦なプリズムプレート１３に密着させる半球状のカバー１と、カバー１の頂部近傍に一体形成され、その一端部が当該カバー１の内部に連通する筒体２と、筒体２の他端部に配置される分離・回収機構３と、カバー１の側面部に気密に接続された送風用チューブ４、および、そのチューブ４を介してカバー１内に送風する送風装置５によって構成されている。
【００２７】
カバー１はプリズムプレート１３の上面に気密に密着させることができるものであれば、その材質は特に限定されないが、例えば樹脂製とすることができる。また、分離・回収機構３は、例えばフィルタとそのフィルタによりエアと分離されて落下する試料を回収する回収箱等によって構成され、試料が分離回収された後のエアは、吹出口３ａから大気中に放出される。
【００２８】
送風装置５は例えばブロアであり、スイッチ操作によって送風をＯＮ／ＯＦＦすることができる。この送風装置５からの送風は、送風用チューブ４を通じてカバー１内に送り込まれる。送風用チューブ４は、図１の例ではカバー１のプリズムプレート１３への密着部位の直近に接続されるようにしてカバー１内に開口し、これにより、送風装置５からのエアをプリズムプレート１３の上面へ沿うように吹き付けることができるようにしている。
【００２９】
以上の本発明の実施の形態における使用方法は、例えば粉体試料を測定した後に、図３におけるクランプ機構２０を外し、図１に示すように、試料が載置されたプリズム１１を囲むように支持板１２の表面にカバー１を密着させて送風装置５を駆動する。これにより、送風用チューブ４を通じてカバー１内にエアが送風されてプリズムプレート１３上の粉体試料がカバー１内で舞い上がり、エアロゾル状となって筒体２内を流れ、分離・回収機構３において試料が分離・回収される。
【００３０】
以上の動作によると、プリズムプレート１３上の試料はカバー１から外部に漏れることなく分離・回収機構３により回収されるため、従来の紙製ウエスや綿棒を用いてプリズムプレート１３を清浄化する場合のように、試料がプリズムプレート１３上から落下してしまうことを確実に防止することができる。しかも、オペレータはカバー１をプリズムプレート１３上に密着するように載置して送風装置５のスイッチを操作するだけでよいため、作業自体がより簡単なものとなる。
【００３１】
ここで、以上の実施の形態においては、分離・回収機構３において試料が分離された後のエアを吹出口３ａから自然排気させた例を示したが、これに換えて、吹出口３ａを送風装置５の吸気口に連通させたり、あるいは吹出口３ａに別途吸引装置を接続して吹出口３ａからエアを吸引するように構成すれば、カバー１および筒体２内のエアの流れをより確実なものとすることができる。
【００３２】
また、送風装置５に換える任意の気体をカバー１内に送り込むことのできるガスボンベなどを用いることもできる。
【００３３】
さらに、カバー１の形状は上記のように必ずしも半球状とする必要はなく、所定の空隙をあけて所要部位を覆うことができればよいが、カバー１の内面形状はできるだけ滑らかなものとすることが望ましい。また、プリズムプレート１３への密着部位にガスケットやＯリングなどのシール部材を設けて、プリズムプレート１３に対する気密性を向上させることもできる。
【符号の説明】
【００３４】
１  カバー
２  筒体
３  分離・回収機構（回収手段）
３ａ  吹出口
４  送風用チューブ
５  送風装置（送風手段）
１１  プリズム
１２  支持板
１３  プリズムプレート
【図１】
2016070784.tif 000003
【図２】
2016070784.tif 000004
【図３】
2016070784.tif 000005